(57)【特許請求の範囲】
【請求項１】
巻尺ホルダに付属するホルダ係合部品の巻尺取付部構造であって、該ホルダ係合部品は、本体と固定金具とから構成され、上記本体には、巻尺ケース取付面側に貫通する係合部を有した係合用通孔が設けられ、上記固定金具には、通孔を有するケース当接部と、立上り部と、腕部とが設けられており、該固定金具は、上記係合用通孔の巻尺ケースの取付面に臨む開口の近傍にセットでき、この固定金具のケース当接部を巻尺ケースに適宜固定したとき、該固定金具の腕部によって上記本体の係合部が押え付けられるようになっていることを特徴とする巻尺ホルダに付属するホルダ係合部品の巻尺取付部構造。
【請求項２】
上記本体の係合用通孔が、巻尺ケース取付面側に小径の通孔が設けられると共に該小径の通孔に続けて大径の通穴が設けられ、且つ上記小径の通孔と大径の通孔の境界が段差となっていて、該段差を係合部としたことを特徴とする請求項１に記載の巻尺ホルダに付属するホルダ係合部品の巻尺取付部構造。
【請求項３】
上記固定金具の少なくともケース当接部を、０．５ｍｍ〜１．５ｍｍの範囲内の肉厚に設定していることを特徴とする請求項１に記載の巻尺ホルダに付属するホルダ係合部品の巻尺取付部構造。
【請求項４】
上記固定金具の立上り部と腕部との接続角を、鋭角に設定していることを特徴とする請求項１に記載の巻尺ホルダに付属するホルダ係合部品の巻尺取付部構造。
【請求項５】
巻尺ホルダに付属するホルダ係合部品の巻尺取付方法であって、該ホルダ係合部品を、本体と固定金具とから構成し、上記本体には、巻尺ケース取付面側に貫通させた係合部を設けた係合用通孔を形成し、上記固定金具には、巻尺ケース取付面に固定させる通孔を設けたケース当接部と、立上り部と、腕部とを形成し、ホルダ係合部品を巻尺に取り付けるときは、先ず、上記本体の係合用通孔内に上記固定金具をケース当接部側から挿入して腕部を本体の係合部に係合させてセットし、次いで、上記ケース当接部の通孔に、既に巻尺から取外しているベルトクリップの取付け用の固定ねじを螺刻脚部側から通すと共に、該固定ねじが螺入されていたねじ孔に螺入し締め込み、固定金具によって本体を押えて固定することを特徴とする巻尺ホルダに付属するホルダ係合部品の巻尺取付方法。
【発明の詳細な説明】
【技術分野】
【０００１】
本発明は、衣服の腰ベルトに装着したホルダ本体に、携帯する巻尺を係合保持できるようになっている巻尺ホルダに関し、より詳しくは、巻尺ホルダに付属するホルダ係合部品の巻尺取付部構造と該ホルダ係合部品の巻尺取付方法に関する。
【背景技術】
【０００２】
従来、巻尺を携帯する人の多くは、該巻尺を手に持ったりまた衣服のポケットに収納して携帯しなくてもよいよう巻尺ホルダを用いることが多く、該巻尺ホルダは、衣服の腰ベルトに装着するホルダ本体と、巻尺のベルトクリップ部に取り付けて上記ホルダ本体の係合部と係合できようになっているホルダ係合部品と、該ホルダ係合部品のねじ固定部の厚み（強度を必要とするため３ｍｍ程度の肉厚が必要）に対応する固定ねじ（巻尺の種類に対応させるため数種を添付）とから構成されている。
【０００３】
そして、上記ホルダ係合部品の巻尺のベルトクリップ取付部への取り付けは、巻尺ケースに固定ねじで取り付けられているベルトクリップを取り外し、この部位に巻尺ホルダに添付されている固定ねじを用いてホルダ係合部品を取り付けるようになっている。なお、各社（メーカー）共ベルトクリップの厚みは０．５ｍｍ程度が標準であり、従ってベルトクリップの固定ねじはベルトクリップの厚みに対応させたねじが用いられていることから、ホルダ係合部品を取り付けるためにはベルトクリップの厚みに対応させたねじよりも長い固定ねじが必要である。
【０００４】
図６は、従来のホルダ係合部品の固定方法を示した図であり、図６中（ａ）図は、ホルダ係合部品の斜視図、図６中（ｂ）図は、ホルダ係合部品の平面図、図６中（ｃ）図は、巻尺ケースに取り付けられたときのホルダ係合部品を示している。なお、図６中（ａ）図中に示している固定ねじ挿入孔１１は、該固定ねじ挿入孔１１の形状が分かるように見えない部分を破線で表している。図６（ｃ）図中のホルダ係合部品１１は、図６中（ｂ）図中のＥ−Ｅ線で切断したときの端面図である。そして、図中の符号１０はホルダ係合部品、符号１１は固定ねじ挿入孔、符号１２は固定ねじ、符号１３は巻尺ケースのベルトクリップ取付部、符号１４は雌ねじが螺刻された回転ドラムの支持軸で、ホルダ係合部品１０は、固定ねじ１１によって巻尺ケースのベルトクリップ取付部１３に取り付けられる。
【０００５】
しかしながら、上述する巻尺ホルダは、基本的に自社の巻尺の仕様に合わせている自社専用品であり、すなわちベルトクリップの固定ねじの仕様（ねじ形状／ねじ長／ねじ山など）に対応させているため、ベルトクリップの固定ねじの仕様が異なる他社の巻尺に用いることができないのであるが、時には、巻尺ホルダが専用品であることを知らないで、該巻尺ホルダに適応可能な大きさの巻尺であると共にベルトクリップの固定ねじの径も同じであることから購入され、他社の巻尺に使用されてしまうこともあった。
【０００６】
そして、上述の巻尺ホルダが他社の巻尺に使用された場合、すなわちホルダ係合部品が添付の固定ねじによって他社の巻尺ケースに取り付けられた場合、一見しっかりと取り付けできていると思っても、例えば、ねじ穴に螺合しているねじ山の掛りが浅い場合などは、固定ねじの螺合が使用による振動や衝撃によって外れてしまい、ホルダ係合部品が巻尺ケースから外れて巻尺が落下する恐れがあった。なお、巻尺が高所から落下した場合には、非常に重大な事故に繋がる恐れがあった。
【０００７】
また、固定ねじを力任せに無理矢理ねじ込んでホルダ係合部品を他社の巻尺ケースに取り付けた場合などは、他社の巻尺ケースや内部機構そして回転ドラムが軸支される軸などを破損させたり、使用中に故障を誘発させる原因になる恐れもあった。
【０００８】
ところで、上述の問題とは別に、ユーザからは巻尺ホルダを他社の巻尺にもしっかりと取り付けできるようにしてほしいという要望もあって、これを解決するには、各社の巻尺が使用しているベルトクリップの固定用のねじの仕様に合わせた固定ねじを添付すれば解決できるのであるが、この方法は現実的に不可能に近い解決策であることは自明であり、よって、巻尺ホルダは他社の巻尺に対応できていなかった。
【先行技術文献】
【特許文献】
【０００９】
【特許文献１】特開２００５−１６９９６号公報
【発明の概要】
【発明が解決しようとする課題】
【００１０】
本発明の目的とするところは、巻尺ホルダに付属するホルダ係合部品を、巻尺に備えるベルトクリップの取り付け用の固定ねじを用いて、巻尺ケースのベルトクリップ取付部にしっかりと取り付けることができるようにしたホルダ係合部品の巻尺取付部構造と該ホルダ係合部品の巻尺取付方法を提供できるようにすることにある。
【課題を解決するための手段】
【００１１】
上述した課題を解決するために、本発明に係る巻尺ホルダに付属するホルダ係合部品の巻尺取付部構造は、巻尺ホルダに付属するホルダ係合部品の巻尺取付部構造であって、該ホルダ係合部品は、本体と固定金具とから構成され、上記本体には、巻尺ケース取付面側に貫通する係合部を有した係合用通孔が設けられ、上記固定金具には、通孔を有するケース当接部と、立上り部と、腕部とが設けられており、該固定金具は、上記係合用通孔の巻尺ケースの取付面に臨む開口の近傍にセットでき、この固定金具のケース当接部を巻尺ケースに適宜固定したとき、該固定金具の腕部によって上記本体の係合部が押え付けられるようになっていることを特徴とする。
【００１２】
また、上記本体の係合用通孔が、巻尺ケース取付面側に小径の通孔が設けられると共に該小径の通孔に続けて大径の通穴が設けられ、且つ上記小径の通孔と大径の通孔の境界が段差となっていて、該段差を係合部としたことを特徴とする。
【００１３】
また、上記固定金具の少なくともケース当接部を、０．５ｍｍ〜１．５ｍｍの範囲内の肉厚に設定していることを特徴とする。
【００１４】
また、上記固定金具の立上り部と腕部との接続角を、鋭角に設定していることを特徴とする。
【００１５】
上記係合部の形態も、固定金具の腕部（全体乃至先端）がしっかりと係合可能になっていればよく、所望の形態にすればよい。
【００１６】
また係合部は、係合部としている例えば凹所が係合用通孔の外側に位置する場合も、係合部の内部と係合用通孔の内部とが本体面よりも内方で接続しているような形態は、係合部が係合用通孔内に有する形態と解される。
【００１７】
そして、ホルダ係合部品は、巻尺ホルダの形態に合わせて適宜形状や大きさになっており、また材質も、合成樹脂や金属などの素材で形成している。また、固定金具も、該固定金具がセットされる段状の通孔などの形状に合わせて適宜形状や大きさになっている。なお、材質は強度が要求されるので、耐破断に優れる金属や耐破断処理を行っている金属を用いるのがよい。
【００１８】
また、固定金具の立上り部と腕部との接続角を鋭角に設定する場合、該接続角を９０度より少々鋭角方向に設定することにより、該固定金具を本体の段状通孔内にセットしたときに上記腕部が上記段状通孔内の段状部に当接し、固定金具のケース当接部が段状通孔の開口面よりも段状通孔内方に位置する。そして、この状態からケース当接部を巻尺ケースに固定（ねじ締め）していくと、該ケース当接部が巻尺ケース面に接近するにつれて腕部に応力が蓄積されていって、ケース当接面部が巻尺ケースに当接して固定されたとき、上記応力を、腕部が段状部をより強く押え付けるための力として利用できる。
【００１９】
本発明に係る巻尺ホルダに付属するホルダ係合部品の巻尺取付方法は、該ホルダ係合部品を、本体と固定金具とから構成し、上記本体には、巻尺ケース取付面側に貫通させた段状部を設けた係合用通孔を形成し、上記固定金具には、巻尺ケース取付面に固定させる通孔を設けたケース当接部と、立上り部と、腕部とを形成し、ホルダ係合部品を巻尺に取り付けるときは、先ず、上記本体の係合用通孔内に上記固定金具をケース当接部側から挿入して腕部を本体の段状部に係合させてセットし、次いで、上記ケース当接部の通孔に、既に巻尺から取外しているベルトクリップの取付け用の固定ねじを螺刻脚部側から通すと共に、該固定ねじが螺入されていたねじ孔に螺入し締め込み、固定金具によって本体を押えて固定することを特徴とする。
【発明の効果】
【００２０】
本発明の巻尺ホルダに付属するホルダ係合部品の巻尺取付部構造によれば、従来では取り付けることができなかった他社の巻尺ケースのベルトクリップ取付部にも容易に取り付けることができる。また、この取り付けにおいても、他社が用いている純正のねじ（ベルトクリップの固定用ねじ）でホルダ係合部品を取り付けられるので、ホルダ係合部品を、巻尺ケースのベルトクリップ取付部にしっかりと固定することができる。
【００２１】
また、巻尺ホルダに付属するホルダ係合部品の巻尺取付方法によれば、ホルダ係合部品の係合用通孔に固定金具をセットし、次いで固定金具の通孔にねじを通すと共に巻尺のベルトクリップ固定用のねじ穴に螺入して適宜締め付けることにより、固定金具がホルダ係合部品を押えて巻尺ケースに固定させる方法なので、ユーザが容易に取り付けることができ、且つしっかりと巻尺ケースに固定することができる。これにより、取り付けに起因する二次災害の発生もゼロに等しいレベルまで低減できる。
【００２２】
そして、本ホルダ係合部品は、巻尺に備えるベルトクリップの固定ねじをそのままホルダ係合部品の固定ねじとして利用できるので、巻尺ホルダが自社専用品のときに添付していた数種の固定ねじも必要なく、従って、添付する固定ねじの購入に掛かっていた購入費用の削減ができる。また、固定ねじの添付作業も必要ないので作業者の負担軽減もできる。
【００２３】
さらに、一般的に用いられているベルトクリップの固定ねじの径と異なるねじ径の固定ねじを用いている巻尺に対応させるときも、ホルダ係合部品の構成品である固定金具だけを変更（固定ねじを通す通孔の径を変更）すればよい。また、固定金具を別売りで用意することでも十分に対応できるので、本発明の構造は非常に汎用性に優れた構造である。
【図面の簡単な説明】
【００２４】
【図１】本発明に係るホルダ係合部品の一例を示す斜視図。
【図２】ホルダ係合部品と固定金具の平面図。
【図３】ホルダ係合部品と固定金具の図２中各々のＡ−Ａ端面図。
【図４】ホルダ係合部品の巻尺への取付過程を示した図。
【図５】巻尺ホルダの使用状態を示した図。
【図６】従来のホルダ係合部品の固定方法を示した図。
【発明を実施するための形態】
【００２５】
以下、本発明に係る巻尺ホルダに付属するホルダ係合部品の巻尺取付部構造を、添付図面に示す具体例に基づいて説明する。また、ホルダ係合部品には構成品として固定金具が付属する。
【００２６】
図１〜図３の各図によりホルダ係合部品１の巻尺取付部構造を説明する。符号１がホルダ係合部品であり、符号１ａが、巻尺ケースに取り付けられるケース当接面で、符号１ｂが、ホルダ係合部品１を巻尺ホルダ７（図５を参照）に係合させるとき、巻尺ホルダ７の挿入路７ａ（図５を参照）の路面に接する挿入路接触面である。符号２が固定金具である。
【００２７】
そして、ホルダ係合部品１には係合用通孔４が形成され、この係合用通孔４には、巻尺ケース（図４中の（ｃ）図を参照）に取り付けられるケース当接面１ａに開口する通孔４ａと、巻尺ホルダ７の挿入路面７ａ（図５を参照）と対向する面に開口する通孔４ｂとが形成され、また通孔４ｂは、固定金具２を入れるための通孔でもある。そして、符号４ｃの部位が係合部たる段状部（段差）となっている。なお、係合用通孔４は、該係合用通孔４の形状が分かるように見えない部分を破線で表している。
【００２８】
固定金具２は通孔４ａ内にセットされるものであり、この固定金具２は、ホルダ係合部品１における係合用通孔４の通孔４ａの開口内に位置できて、ホルダ係合部品１を取り付ける巻尺から取り外したベルトクリップの固定用のねじの螺刻脚部が通過できる通孔２ａが設けられたケース当接部２ｂと、通孔４ａの長さと概ね同じ長さの立上り部２ｃと、この固定金具２を通孔４ａ内にセットしたときに段状部４ｃ上に掛かる長さを有する腕部２ｄとから構成されている。なお、固定金具２の各部の寸法は、ホルダ係合部品の形態に合わせて適宜寸法で形成すればよい。
【００２９】
また、本実施例に示したホルダ係合部品１の形態に合わせた付属の固定金具２の各部の適した寸法の一例を示すと、ケース当接部２ｂは、通孔４ａの開口寸法に対応させると共に可能な限り表面積を増やし、巻尺ケースのケース面との接触面積が増えるようにするのが望ましい。またケース当接部２ｂに続く立上り部２ｃは、通孔４ａの長さよりも適当に長くすると共に、この立上り部２ｃに続く腕部２ｄとの接続部２ｅの角度を適当な鋭角にし、腕部２ｄが段状部４ｃ面を押さえるとき、この腕部２ｄにスプリングワッシャのような押圧効果が生じるようにして、段状部４ｃ面をしっかりと押さえられるようにするのが望ましい。
【００３０】
そして、ホルダ係合部品の巻尺への取付過程を示した図巻尺ホルダの構成部品たるホルダ係合部品の巻尺（巻尺ケースのベルトクリップ取付部）への取付方法を、図４にて説明する。先ず、図示は省略するが、ホルダ係合部品１を取り付ける巻尺からベルトクリップを取り付けている固定用のねじを取り外し、ベルトクリップを巻尺ケース（巻尺ケース５）から取り外す。次いで、図４中の（ａ）図に示すように、ホルダ係合部品１の係合用通孔４の通孔４ａ内に固定金具２をケース当接部２ｂ側から挿入する。次いで、図４中の（ｂ）図に示すように、腕部２ｄの先端が段状部４ｃ面に当接して通孔４ａ内にセットされている固定金具２のケース当接部２ｂの通孔２ａに、前に取り外していたベルトクリップの固定用のねじたる固定ねじ３を螺刻脚部３ａ側から通すと共に巻尺ケース５の通孔５ａに通して、本実施例では回転ドラムを支持する支持軸６に形成されているねじ穴６ａに螺入し締め込む。これにより、図４中の（ｃ）図に示すように、ホルダ係合部品１は巻尺ケース５のベルトクリップ部５ｂに固定される。
【００３１】
この巻尺ホルダの構成部品たるホルダ係合部品１は、上述するように、固定用のねじ（固定ねじ３）によって巻尺ケース５のベルトクリップ部５ｂに固定される付属の固定金具２を介して同ベルトクリップ部５ｂに固定されるように構成しているので、巻尺に備えるベルトクリップと概ね同程度の厚みに設定している固定金具２のケース当接面部２ｂを固定するための固定用のねじに、上記ベルトクリップを取り付けていた固定用のねじ（固定ねじ３）を利用できるのである。
【００３２】
図５は、巻尺ホルダの使用状態を示した図であり、図５中の（ａ）図は、巻尺（巻尺ケース５）を巻尺ホルダ７に係着した状態を示している。図５中の（ｂ）は、ホルダ係合部品１を巻尺ケース５に取り付けた状態を示している。図５中の（ｃ）図は、巻尺ホルダ７を示していて、符号７ａが、ホルダ係合部品１の挿入路、符号７ｂが、ホルダ係合部品１の抜けを防ぐためのロック片、符号７ｃが、ホルダ係合部品１のロックを解除するためのレバーである。そして、巻尺ホルダから巻尺（巻尺ケース５）を取り出すときは、該レバー７ｃを操作してロック片７ｂによるホルダ係合部品１のロックを解除して、巻尺（巻尺ケース５）を挿入路７ａ内から引き出せばよい。
【符号の説明】
【００３３】
１…ホルダ係合部品
１ａ…ケース当接面
１ｂ…挿入路接触面
２…固定金具
２ａ…通孔
２ｂ…ケース当接部
２ｃ…立上り部
２ｄ…腕部
２ｅ…接続部
３…固定ねじ
３ａ…螺刻脚部
４…係合用通孔
４ａ…通孔
４ｂ…通孔
４ｃ…段状部
５…巻尺ケース
５ａ…通孔
５ｂ…ベルトクリップ部
６…支持軸
６ａ…ねじ穴
７…巻尺ホルダ
７ａ…挿入路
７ｂ…ロック
７ｃ…レバー
１０…ホルダ係合部品
１１…固定ねじ挿入孔
１２…固定ねじ
１３…ベルトクリップ取付部
１４…支持軸
【図１】
0006513490.tif 000002
【図２】
0006513490.tif 000003
【図３】
0006513490.tif 000004
【図４】
0006513490.tif 000005
【図５】
0006513490.tif 000006
【図６】
0006513490.tif 000007